(57)【要約】【課題】  色再現範囲を適切に向上することを可能とする光源装置及び投写型映像表示装置を提供する。【解決手段】  光源装置は、複数色の基準色成分光を出射する基準光源１０と、補助色成分光の励起光を出射する励起光源２０と、励起光に応じて、補助色成分光を出射する発光体を有する反射型ホイール４０と、複数色の基準色成分光の光路上に補助色成分光を重畳するように、複数色の基準色成分光及び補助色成分光を合成する第２バンドパスフィルタ５０とを備える。【選択図】  図１
2011248272.tif 000002
【特許請求の範囲】
【請求項１】
複数色の基準色成分光を出射する基準光源と、
補助色成分光の励起光を出射する励起光源と、
前記励起光に応じて、前記補助色成分光を出射する発光体を有する発光体部材と、
前記複数色の基準色成分光の光路上に前記補助色成分光を重畳するように、前記複数色の基準色成分光及び前記補助色成分光を合成する合成部とを備えることを特徴とする光源装置。
【請求項２】
前記基準光源は、１フレームを構成する複数のセグメントのそれぞれにおいて、前記複数色の基準色成分光を順に出射し、
前記励起光源は、前記複数のセグメントのうち、少なくともいずれか１つのセグメントである対象セグメントにおいて、前記励起光を出射し、
前記補助色成分光は、前記対象セグメントにおいて、前記複数色の基準色成分光のいずれかに重畳されることを特徴とする請求項１に記載の光源装置。
【請求項３】
前記発光体部材は、反射型ホイールであることを特徴とする請求項１に記載の光源装置。
【請求項４】
前記合成部は、前記複数色の基準色成分光を反射し、前記補助色成分光を透過するバンドパスフィルタであることを特徴とする請求項１に記載の光源装置。
【請求項５】
複数色の基準色成分光を出射する基準光源と、
補助色成分光の励起光を出射する励起光源と、
前記励起光に応じて、前記補助色成分光を出射する発光体を有する発光体部材と、
前記複数色の基準色成分光の光路上に前記補助色成分光を重畳するように、前記複数色の基準色成分光及び前記補助色成分光を合成する合成部と、
前記合成部から出射される光を変調する光変調素子とを備えることを特徴とする投写型映像表示装置。
【発明の詳細な説明】
【技術分野】
【０００１】
本発明は、複数色の基準色成分光を出射する基準光源を備える光源装置及び投写型映像表示装置に関する。
【背景技術】
【０００２】
従来、光源と、光源から出射された光を変調する光変調素子と、光変調素子から出射された光を投写面上に投写する投写ユニットとを有する投写型映像表示装置が知られている。
【０００３】
ここで、色再現範囲の向上を目的として、複数色の基準色成分光（例えば、赤成分光、緑成分光、青成分光）に加えて、補助色成分光（例えば、黄成分光、シアン成分光、オレンジ成分光）を利用する投写型映像表示装置が提案されている（例えば、特許文献１）。
【先行技術文献】
【特許文献】
【０００４】
【特許文献１】特開２００５−３０１０６３号公報
【発明の概要】
【発明が解決しようとする課題】
【０００５】
しかしながら、補助色成分光は、複数色の基準色成分光に選択的に重畳されずに、基準色成分光に対して時分割で重畳される。すなわち、１フレーム内において、補助色成分光が基準色成分光に対して時分割で多重される。従って、色再現範囲を適切に向上することができない。例えば、映像によっては、色純度が低下してしまうことが考えられる。
【０００６】
そこで、本発明は、上述した課題を解決するためになされたものであり、色再現範囲を適切に向上することを可能とする光源装置及び投写型映像表示装置を提供することを目的とする。
【課題を解決するための手段】
【０００７】
第１の特徴に係る光源装置は、複数色の基準色成分光を出射する基準光源（基準光源１０）と、補助色成分光の励起光を出射する励起光源（励起光源２０）と、前記励起光に応じて、前記補助色成分光を出射する発光体を有する発光体部材（反射型ホイール４０或いは透過型ホイール１４０）と、前記複数色の基準色成分光の光路上に前記補助色成分光を重畳するように、前記複数色の基準色成分光及び前記補助色成分光を合成する合成部（第２バンドパスフィルタ５０）とを備える。
【０００８】
第１の特徴において、前記基準光源は、１フレームを構成する複数のセグメントのそれぞれにおいて、前記複数色の基準色成分光を順に出射する。前記励起光源は、前記複数のセグメントのうち、少なくともいずれか１つのセグメントである対象セグメントにおいて、前記励起光を出射する。前記補助色成分光は、前記対象セグメントにおいて、前記複数色の基準色成分光のいずれかに重畳される。
【０００９】
第１の特徴において、前記発光体部材は、反射型ホイールである。
【００１０】
第１の特徴において、前記合成部は、前記複数色の基準色成分光を反射し、前記補助色成分光を透過するバンドパスフィルタである。
【００１１】
第２の特徴に係る投写型映像表示装置は、複数色の基準色成分光を出射する基準光源と、補助色成分光の励起光を出射する励起光源と、前記励起光に応じて、前記補助色成分光を出射する発光体を有する発光体部材と、前記複数色の基準色成分光の光路上に前記補助色成分光を重畳するように、前記複数色の基準色成分光及び前記補助色成分光を合成する合成部と、前記合成部から出射される光を変調する光変調素子とを備える。
【発明の効果】
【００１２】
本発明によれば、色再現範囲を適切に向上することを可能とする光源装置及び投写型映像表示装置を提供することができる。
【図面の簡単な説明】
【００１３】
【図１】第１実施形態に係る投写型映像表示装置１００を示す図である。
【図２】第１実施形態に係る反射型ホイール４０を示す図である。
【図３】第１実施形態に係る反射型ホイール４０を示す図である。
【図４】第１実施形態に係る第２バンドパスフィルタ５０を示す図である。
【図５】第１実施形態に係る補助色成分光の重畳を説明するための図である。
【図６】第１実施形態に係る色再現範囲を示す図である。
【図７】第１実施形態に係る色再現範囲を示す図である。
【図８】第１実施形態に係る制御ユニット２００を示すブロック図である。
【図９】第１実施形態に係る補助色成分光の重畳タイミングを示す図である。
【図１０】変更例１に係る反射型ホイール４０を示す図である。
【図１１】変更例１に係る反射型ホイール４０を示す図である。
【図１２】変更例２に係る反射型ホイール４０を示す図である。
【図１３】変更例２に係る色再現範囲を示す図である。
【図１４】変更例３に係る投写型映像表示装置１００を示す図である。
【発明を実施するための形態】
【００１４】
以下において、本発明の実施形態に係る光源装置及び投写型映像表示装置について、図面を参照しながら説明する。なお、以下の図面の記載において、同一又は類似の部分には、同一又は類似の符号を付している。
【００１５】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１６】
［実施形態の概要］
第１に、実施形態に係る光源装置は、複数色の基準色成分光を出射する基準光源と、補助色成分光の励起光を出射する励起光源と、励起光に応じて、補助色成分光を出射する発光体を有する発光体部材と、複数色の基準色成分光の光路上に補助色成分光を重畳するように、複数色の基準色成分光及び補助色成分光を合成する合成部とを備える。
【００１７】
第２に、実施形態に係る投写型映像表示装置は、複数色の基準色成分光を出射する基準光源と、補助色成分光の励起光を出射する励起光源と、励起光に応じて、補助色成分光を出射する発光体を有する発光体部材と、複数色の基準色成分光の光路上に補助色成分光を重畳するように、複数色の基準色成分光及び補助色成分光を合成する合成部と、合成部から出射される光を変調する光変調素子とを備える。
【００１８】
実施形態では、合成部は、複数色の基準色成分光の光路上に補助色成分光を重畳するように、複数色の基準色成分光及び補助色成分光を合成する。また、補助色成分光は、励起光源から出射される励起光に応じて発光体から出射される。
【００１９】
従って、複数色の基準色成分光のそれぞれに対して、補助色成分光を選択的に重畳することができ、色再現範囲を適切に向上することができる。
【００２０】
［第１実施形態］
（投写型映像表示装置）
以下において、第１実施形態に係る投写型映像表示装置について、図面を参照しながら説明する。図１は、第１実施形態に係る投写型映像表示装置１００を示す図である。第１実施形態では、光変調素子として、ＤＭＤ（Ｄｉｇｉｔａｌ  Ｍｉｃｒｏｍｉｒｒｏｒ  Ｄｅｖｉｃｅ）を有する投写型映像表示装置１００を例示する。
【００２１】
図１に示すように、投写型映像表示装置１００は、基準光源１０と、励起光源２０と、第１バンドパスフィルタ３０と、反射型ホイール４０と、第２バンドパスフィルタ５０と、ロッドインテグレータ６０と、レンズ群７０と、ＤＭＤ８０と、投写ユニット９０とを有する。
【００２２】
基準光源１０は、基準色成分光を出射する光源である。例えば、基準色成分光は、赤成分光Ｒ、緑成分光Ｇ及び青成分光Ｂであり、基準光源１０は、光源１０Ｒ、光源１０Ｇ及び光源１０Ｂによって構成される。
【００２３】
光源１０Ｒは、赤成分光Ｒを出射する光源であり、例えば、赤ＬＥＤ（Ｌｉｇｈｔ  Ｅｍｉｔｔｉｎｇ  Ｄｉｏｄｅ）や赤ＬＤ（Ｌａｓｅｒ  Ｄｉｏｄｅ）である。なお、光源１０Ｒから出射された赤成分光Ｒは、ダイクロイックミラー１１及びダイクロイックミラー１２を透過する。
【００２４】
光源１０Ｇは、緑成分光Ｇを出射する光源であり、例えば、緑ＬＥＤや緑ＬＤである。なお、光源１０Ｇから出射された緑成分光Ｇは、ダイクロイックミラー１１で反射され、ダイクロイックミラー１２を透過する。
【００２５】
光源１０Ｂは、青成分光Ｂを出射する光源であり、例えば、青ＬＥＤや青ＬＤである。なお、光源１０Ｂから出射された青成分光Ｂは、ダイクロイックミラー１２で反射される。
【００２６】
励起光源２０は、補助色成分光の励起光Ｘを出射する。励起光Ｘは、例えば、紫外光などの短波長光であり、励起光源２０は、例えば、短波長ＬＤである。また、補助色成分光は、例えば、黄成分光Ｙｅ、シアン成分光Ｃｙなどである。
【００２７】
第１バンドパスフィルタ３０は、励起光Ｘを反射して、補助色成分光を透過するように構成されたフィルタである。具体的には、第１バンドパスフィルタ３０は、励起光源２０から出射された励起光Ｘを反射型ホイール４０側に反射する。一方で、第１バンドパスフィルタ３０は、反射型ホイール４０から出射された補助色成分光を第２バンドパスフィルタ５０側に透過する。
【００２８】
反射型ホイール４０は、回転軸を中心として回転するように構成されたホイールである。具体的には、反射型ホイール４０は、図２に示すように、発光体層４１と、反射膜４２とを有する。
【００２９】
発光体層４１は、励起光Ｘに応じて補助色成分光を出射する発光体を有する。発光体は、蛍光体或いは燐光体である。例えば、発光体層４１は、図３に示すように、励起光Ｘに応じて黄成分光Ｙｅを出射する発光体を有する発光体領域４１Ｙｅと、励起光Ｘに応じてシアン成分光Ｃｙを出射する発光体を有する発光体領域４１Ｃｙとを有する。発光体領域４１Ｃｙ及び発光体領域４１Ｙｅは、略半円形状を有する。なお、図３では、光入射面側から見た発光体層４１が示されていることに留意すべきである。
【００３０】
図２に戻って、反射膜４２は、補助色成分光を反射する膜である。なお、反射膜４２は、補助色成分光だけではなくて、励起光Ｘも反射することに留意すべきである。このようなケースにおいて、発光体層４１に設けられた発光体は、反射膜４２で反射された励起光Ｘに応じて補助色成分光を出射することに留意すべきである。
【００３１】
なお、励起光源２０に対する戻り光を抑制するために、反射膜４２が励起光Ｘの進行方向に対して若干の傾きを有することが好ましい。
【００３２】
図１に戻って、第２バンドパスフィルタ５０は、基準色成分光を反射して、補助色成分光を透過するように構成されたフィルタである。具体的には、第２バンドパスフィルタ５０は、基準光源１０から出射された基準色成分光をロッドインテグレータ６０側に反射する。一方で、第２バンドパスフィルタ５０は、反射型ホイール４０で反射された補助色成分光をロッドインテグレータ６０側に透過する。
【００３３】
例えば、第２バンドパスフィルタ５０は、図４に示すように、黄色Ｙｅ及びシアンＣｙの波長帯を有する光（黄成分光Ｙｅ及びシアン成分光Ｃｙ）を透過して、他の波長帯を有する光（赤成分光Ｒ、緑成分光Ｇ及び青成分光Ｂ）を反射する特性を有する。
【００３４】
ここで、第２バンドパスフィルタ５０は、複数色の基準色成分光の光路上に補助色成分光を重畳するように、複数色の基準色成分光及び補助色成分光を合成する合成部を構成する。
【００３５】
図１に戻って、ロッドインテグレータ６０は、光入射面と、光出射面と、光入射面の外周から光出射面の外周に亘って設けられる光反射側面とを有する。ロッドインテグレータ６０は、第２バンドパスフィルタ５０で合成された色成分光を均一化する。詳細には、ロッドインテグレータ６０は、光反射側面で色成分光を反射することによって、色成分光を均一化する。なお、ロッドインテグレータ６０は、ガラスなどによって構成される中実ロッドであってもよく、ミラー面によって内面が構成される中空ロッドであってもよい。
【００３６】
ＤＭＤ８０は、複数の微少ミラーによって構成されており、複数の微少ミラーは可動式である。各微少ミラーは、基本的に１画素に相当する。ＤＭＤ８０は、各微少ミラーの角度を変更することによって、投写ユニット９０側に光を反射するか否かを切り替える。
【００３７】
投写ユニット９０は、ロッドインテグレータ６０から出射された光（映像光）を投写面上に投写する。
【００３８】
なお、第１実施形態において、基準光源１０、励起光源２０、反射型ホイール４０及び第２バンドパスフィルタ５０は、光源装置を構成することに留意すべきである。光源装置は、これらの構成に加えて、第１バンドパスフィルタ３０或いはロッドインテグレータ６０を含んでもよい。
【００３９】
（補助色成分光の重畳）
以下において、第１実施形態に係る補助色成分光の重畳について、図面を参照しながら説明する。図５〜図７は、第１実施形態に係る補助色成分光の重畳を説明するための図である。なお、第１実施形態では、補助色成分光が、黄成分光Ｙｅ及びシアン成分光Ｃｙであるケースについて説明する。また、基準色成分光が、赤成分光Ｒ、緑成分光Ｇ及び青成分光Ｂであるケースについて説明する。
【００４０】
図５に示すように、黄成分光Ｙｅは、赤成分光Ｒの波長帯と緑成分光Ｇの波長帯との間の波長帯を有する光である。例えば、黄成分光Ｙｅは、赤成分光Ｒ、緑成分光Ｇ及び青成分光Ｂのいずれかに重畳される。一方で、シアン成分光Ｃｙは、緑成分光Ｇの波長帯と青成分光Ｂの波長帯との間の波長帯を有する光である。シアン成分光Ｃｙは、赤成分光Ｒ、緑成分光Ｇ及び青成分光Ｂのいずれかに重畳される。
【００４１】
続いて、色再現範囲例について、図６を参照しながら説明する。図６では、色再現範囲Ｐ１は、基準色成分光（赤成分光Ｒ、緑成分光Ｇ及び青成分光Ｂ）のいずれにも補助色成分光が重畳されないケースを示している。色再現範囲Ｐ２は、青成分光Ｂに補助色成分光が重畳されておらず、赤成分光Ｒに黄成分光Ｙｅが重畳され、緑成分光Ｇにシアン成分光Ｃｙが重畳されるケースを示している。色再現範囲Ｐ３は、赤成分光Ｒ及び緑成分光Ｇに補助色成分光が重畳されておらず、青成分光Ｂに黄成分光Ｙｅ及びシアン成分光Ｃｙが重畳されるケースを示している。
【００４２】
図６に示すように、補助色成分光（黄成分光Ｙｅ、シアン成分光Ｃｙ）の重畳によって、色再現範囲を変更することができる。
【００４３】
また、基準色成分光（赤成分光Ｒ、緑成分光Ｇ及び青成分光Ｂ）に対して、補助色成分光（黄成分光Ｙｅ、シアン成分光Ｃｙ）を選択的に重畳することによって、図７に示すように、従来の色再現範囲よりも広い色再現範囲を実現することができる。
【００４４】
（制御ユニットの構成）
以下において、第１実施形態に係る制御ユニットについて、図面を参照しながら説明する。図８は、第１実施形態に係る制御ユニット２００を示すブロック図である。制御ユニット２００は、投写型映像表示装置１００に設けられており、投写型映像表示装置１００を制御する。
【００４５】
なお、制御ユニット２００は、映像入力信号を映像出力信号に変換する。映像入力信号は、赤入力信号Ｒｉｎ、緑入力信号Ｇｉｎ及び青入力信号Ｂｉｎによって構成される。映像出力信号は、赤出力信号Ｒｏｕｔ、緑出力信号Ｇｏｕｔ及び青出力信号Ｂｏｕｔによって構成される。映像入力信号及び映像出力信号は、１フレームを構成する複数の画素毎に入力される信号である。
【００４６】
図８に示すように、制御ユニット２００は、映像信号受付部２１０と、変調量算出部２２０と、重畳量算出部２３０と、素子制御部２４０と、基準光源制御部２５０と、励起光源制御部２６０とを有する。
【００４７】
映像信号受付部２１０は、ＤＶＤやＴＶチューナなどの外部装置（不図示）から映像入力信号を受付ける。
【００４８】
変調量算出部２２０は、映像入力信号を映像出力信号に変換する。ここで、映像出力信号は、光の変調量を示す信号であり、ＤＭＤ８０の制御に用いられる。
【００４９】
なお、変調量算出部２２０は、補助色成分光の重畳量に基づいて、映像入力信号を映像出力信号に変換してもよい。例えば、変調量算出部２２０は、補助色成分光の重畳量に基づいて、赤入力信号Ｒｉｎ、緑入力信号Ｇｉｎ及び青入力信号Ｂｉｎの加算処理又は減算処理を行ってもよい。
【００５０】
重畳量算出部２３０は、映像入力信号に基づいて、補助色成分光の重畳量を算出する。また、変調量算出部２２０は、基準色成分光（赤成分光Ｒ、緑成分光Ｇ及び青成分光Ｂ）のいずれに補助色成分光を重畳すべきかについても決定する。言い換えると、変調量算出部２２０は、補助色成分光を重畳すべきタイミングを決定する。
【００５１】
素子制御部２４０は、映像出力信号に基づいて、ＤＭＤ８０を制御する。具体的には、素子制御部２４０は、ＤＭＤ８０に設けられる微小ミラーの角度を制御する。
【００５２】
基準光源制御部２５０は、基準光源１０（光源１０Ｒ、光源１０Ｇ及び光源１０Ｂ）を制御する。ここで、１つの画像は、１フレーム期間内に投写ユニット９０から投写される光によって構成される。１フレーム期間は、赤出射区間Ｒ（セグメントＲ）、緑出射区間Ｇ（セグメントＧ）及び青出射区間Ｂ（セグメントＢ）によって構成される。
【００５３】
具体的には、基準光源制御部２５０は、赤出射区間Ｒにおいて赤成分光Ｒを出射するように光源１０Ｒを制御する。同様に、基準光源制御部２５０は、緑出射区間Ｇにおいて緑成分光Ｇを出射するように光源１０Ｇを制御し、緑出射区間Ｂにおいて青成分光Ｂを出射するように光源１０Ｂを制御する。
【００５４】
励起光源制御部２６０は、励起光源２０を制御する。具体的には、励起光源制御部２６０は、重畳量算出部２３０によって算出された補助色成分光の重畳量に基づいて、励起光源２０から出射される励起光Ｘの光量を制御する。また、励起光源制御部２６０は、重畳量算出部２３０によって決定された補助色成分光を重畳すべきタイミングに基づいて、励起光源２０から励起光Ｘが出射されるタイミングを制御する。
【００５５】
なお、励起光源２０から励起光Ｘが出射されるタイミングは、反射型ホイール４０の回転と同期することに留意すべきである。
【００５６】
（補助色成分光の重畳タイミング）
以下において、第１実施形態に係る補助色成分光の重畳タイミングについて、図面を参照しながら説明する。図９は、第１実施形態に係る補助色成分光の重畳タイミングを示す図である。
【００５７】
図９に示すように、１フレーム期間は、赤出射区間Ｒ、緑出射区間Ｇ及び青出射区間Ｂによって構成される。なお、図９では、フレーム期間＃１〜フレーム期間＃３が例示されている。
【００５８】
例えば、フレーム期間＃１において、黄成分光Ｙｅが緑成分光Ｇに重畳される。従って、上述した励起光源制御部２６０は、緑出射区間Ｇ１において励起光Ｘを出射するように励起光源２０を制御する。
【００５９】
詳細には、励起光源制御部２６０は、緑出射区間Ｇ１において、発光体領域４１Ｃｙに励起光Ｘが照射されずに発光体領域４１Ｙｅに励起光Ｘが照射されるタイミングで、励起光Ｘを出射するように励起光源２０を制御する。なお、反射型ホイール４０の回転周期は、少なくとも１フレーム期間よりも短いことは勿論である。
【００６０】
フレーム期間＃２において、黄成分光Ｙｅが赤成分光Ｒに重畳され、シアン成分光Ｃｙが緑成分光Ｇに重畳される。従って、励起光源制御部２６０は、赤出射区間Ｒ２において、発光体領域４１Ｃｙに励起光Ｘが照射されずに発光体領域４１Ｙｅに励起光Ｘが照射されるタイミングで、励起光Ｘを出射するように励起光源２０を制御する。また、励起光源制御部２６０は、緑出射区間Ｇ２において、発光体領域４１Ｙｅに励起光Ｘが照射されずに発光体領域４１Ｃｙに励起光Ｘが照射されるタイミングで、励起光Ｘを出射するように励起光源２０を制御する。
【００６１】
フレーム期間＃３において、黄成分光Ｙｅが赤成分光Ｒに重畳され、シアン成分光Ｃｙが緑成分光Ｇ及び青成分光Ｂに重畳される。従って、励起光源制御部２６０は、赤出射区間Ｒ３において、発光体領域４１Ｃｙに励起光Ｘが照射されずに発光体領域４１Ｙｅに励起光Ｘが照射されるタイミングで、励起光Ｘを出射するように励起光源２０を制御する。また、励起光源制御部２６０は、緑出射区間Ｇ３及び青出射区間Ｂ３において、発光体領域４１Ｙｅに励起光Ｘが照射されずに発光体領域４１Ｃｙに励起光Ｘが照射されるタイミングで、励起光Ｘを出射するように励起光源２０を制御する。
【００６２】
（作用及び効果）
実施形態では、第２バンドパスフィルタ５０は、複数色の基準色成分光の光路上に補助色成分光を重畳するように、複数色の基準色成分光及び補助色成分光を合成する。また、補助色成分光は、励起光源から出射される励起光に応じて発光体から出射される。
【００６３】
従って、複数色の基準色成分光のそれぞれに対して、補助色成分光を選択的に重畳することができ、色再現範囲を適切に向上することができる。
【００６４】
［変更例１］
以下において、第１実施形態の変更例１について、図面を参照しながら説明する。以下においては、第１実施形態との相違点について主として説明する。
【００６５】
第１実施形態では、反射型ホイール４０に設けられる発光体領域４１Ｃｙ及び発光体領域４１Ｙｅは、略半円形状を有する。これに対して、変更例１では、反射型ホイール４０に設けられる発光体領域４１Ｃｙ及び発光体領域４１Ｙｅは、図１０に示すように、環状形状を有する。
【００６６】
このようなケースでは、図１１に示すように、投写型映像表示装置１００は、複数の励起光源２０（励起光源２０Ｘ及び励起光源２０Ｙ）を有する。
【００６７】
励起光源２０Ｘは、黄成分光Ｙｅの励起光Ｘを出射する。励起光Ｘは、第１バンドパスフィルタ３０で反射されて、発光体領域４１Ｙｅに照射される。
【００６８】
励起光源２０Ｙは、シアン成分光Ｃｙの励起光Ｙを出射する。励起光Ｙは、第１バンドパスフィルタ３０で反射されて、発光体領域４１Ｃｙに照射される。
【００６９】
（作用及び効果）
変更例１では、黄成分光Ｙｅの励起光Ｘ及びシアン成分光Ｃｙの励起光Ｙを出射する光源が個別に設けられるため、励起光源２０から励起光Ｘ（又は、励起光Ｙ）が出射されるタイミングが反射型ホイール４０の回転と同期しなくてもよい。従って、励起光源２０の制御が容易である。
【００７０】
［変更例２］
以下において、第１実施形態の変更例２について、図面を参照しながら説明する。以下においては、第１実施形態との相違点について主として説明する。
【００７１】
第１実施形態では、反射型ホイール４０は、発光体領域４１Ｃｙ及び発光体領域４１Ｙｅを有する。これに対して、変更例２では、反射型ホイール４０は、図１２に示すように、発光体領域４１Ｃｙ及び発光体領域４１Ｙｅに加えて、発光体領域４１Ｇｐｕｒｅを有する。発光体領域４１Ｇｐｕｒｅは、励起光Ｘに応じて純緑成分光Ｇｐｕｒｅを出射する発光体を有する。なお、純緑成分光Ｇｐｕｒｅは、緑成分光Ｇの波長帯よりも短波長の波長帯を有する。
【００７２】
このように、シアン成分光Ｃｙ及び黄成分光Ｙｅに加えて、純緑成分光Ｇｐｕｒｅを補助色成分光として用いることによって、図１３に示すように、色再現範囲をさらに拡大することができる。
【００７３】
［変更例３］
以下において、第１実施形態の変更例３について、図面を参照しながら説明する。以下においては、第１実施形態との相違点について主として説明する。
【００７４】
第１に、変更例３では、図１４に示すように、基準光源１０（光源１０Ｒ、光源１０Ｇ及び光源１０Ｂ）、ダイクロイックミラー１１及びダイクロイックミラー１２に代えて、基準光源１１０及びカラーホイール１１１が設けられる。
【００７５】
基準光源１１０は、赤成分光Ｒ、緑成分光Ｇ及び青成分光Ｂを含む白色光を出射する白色光源である。基準光源１１０は、例えば、ＵＨＰランプやキセノンランプである。
【００７６】
カラーホイール１１１は、回転軸を中心として回転するように構成されたホイールである。カラーホイール１１１は、赤透過領域、緑透過領域及び青透過領域を有する。なお、上述した赤出射区間Ｒは、基準光源１１０から出射された光が赤透過領域を透過する区間である。同様に、緑出射区間Ｇは、基準光源１１０から出射された光が緑透過領域を透過する区間であり、青出射区間Ｂは、基準光源１１０から出射された光が青透過領域を透過する区間である。
【００７７】
第２に、変更例３では、図１４に示すように、反射型ホイール４０に代えて、透過型ホイール１４０が設けられる。
【００７８】
透過型ホイール１４０は、反射型ホイール４０と同様に、回転軸を中心として回転するように構成されたホイールである。また、透過型ホイール１４０は、励起光Ｘに応じて補助色成分光を出射する発光体を有する層（反射型ホイール４０の発光体層４１と対応する層）を有する。なお、透過型ホイール１４０では、反射型ホイール４０の反射膜４２と対応する層が不要であることは勿論である。
【００７９】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００８０】
実施形態では、光変調素子として、ＤＭＤ８０が例示されているが、実施形態は、これに限定されるものではない。光変調素子は、３つの液晶パネル（赤液晶パネル、緑液晶パネル及び青液晶パネル）であってもよい。
【００８１】
実施形態では、励起光源２０は、１フレームを構成する複数のセグメント（赤出射区間Ｒ、緑出射区間Ｇ及び青出射区間Ｂ）のいずれか１つのセグメントにおいて、励起光を出射するが、実施形態は、これに限定されるものではない。具体的には、補助色成分光を基準色成分光に重畳しない場合には、複数のセグメントのいずれにおいても、励起光源２０が励起光を出射しないことは勿論である。
【符号の説明】
【００８２】
１０…基準光源、１１…ダイクロイックミラー、１２…ダイクロイックミラー、２０…励起光源、３０…第１バンドパスフィルタ、４０…反射型ホイール、４１…発光体層、４１Ｃｙ…発光体領域、４１Ｙｅ…発光体領域、４１Ｇｐｕｒｅ…発光体領域、４２…反射膜、５０…第２バンドパスフィルタ、６０…ロッドインテグレータ、７０…レンズ群、８０…ＤＭＤ、９０…投写ユニット、１００…投写型映像表示装置、１１０…基準光源、１１１…カラーホイール、１４０…透過型ホイール、２００…制御ユニット、２１０…映像信号受付部、２２０…変調量算出部、２３０…重畳量算出部、２４０…素子制御部、２５０…基準光源制御部、２６０…励起光源制御部
【図１】
2011248272.tif 000003
【図２】
2011248272.tif 000004
【図３】
2011248272.tif 000005
【図４】
2011248272.tif 000006
【図５】
2011248272.tif 000007
【図６】
2011248272.tif 000008
【図７】
2011248272.tif 000009
【図８】
2011248272.tif 000010
【図９】
2011248272.tif 000011
【図１０】
2011248272.tif 000012
【図１１】
2011248272.tif 000013
【図１２】
2011248272.tif 000014
【図１３】
2011248272.tif 000015
【図１４】
2011248272.tif 000016